【事件の表示】
　特願２０１２−１９５１３４「ヘッド・サスペンション、ベース・プレートの製造方法、ヘッド・サスペンションの製造方法」拒絶査定不服審判事件〔平成２６年　３月２０日出願公開、特開２０１４−　５３０５３、請求項の数（５）〕について、次のとおり審決する。
【結　論】
　原査定を取り消す。
　本願の発明は、特許すべきものとする。
【理　由】
第１　手続の経緯
　本願は、平成２４年９月５日の出願であって、平成２７年１０月２６日付けで拒絶理由が通知され、同年１２月１日付けで意見書及び手続補正書が提出され、平成２８年２月１８日付けで拒絶理由が通知され、同年３月１４日付けで意見書及び手続補正書が提出され、同年４月２６日付けで拒絶査定されたところ、同年６月１６日に拒絶査定不服審判の請求がなされたものである。
第２　本願発明
　本願の請求項１−５に係る発明は、平成２８年３月１４日付け手続補正書の特許請求の範囲の請求項１−５に記載された事項により特定されるものであると認められるところ、本願の請求項１−５に係る発明は以下のとおりである（以下、請求項１に係る発明を「本願発明」という。）。
「　【請求項１】
  アクチュエータを取り付けるための開口状の取付部に切断加工面が残存するベース・プレートと、
　このベース・プレートにばね部を介して支持され読み書き用のヘッド部を支持したロード・ビームとを備え、
　前記取付部は、前記ベース・プレートの後端部と前端部との間に形成され、
　前記前端部は、前記後端部に前記ベース・プレートの幅方向中央部の連結部で一体に結合され、
　前記前端部及び後端部から前記ベース・プレートの長さ方向に延出し相互に離間して対向し前記取付部を前記ベース・プレートの幅方向両側で開放し前記前端部の変位を前記後端部に対して許容する側部を備え、
　前記切断加工面は、前記連結部と前記各側部とに備えられて前記開口状の取付部のアクチュエータ配置位置となる内包側へ指向し、
  前記取付部のアクチュエータ配置位置にアクチュエータを接着剤により固定すると共に前記切断加工面のカット・バリを接着剤により覆い、
　前記アクチュエータを前記各切断加工面に前記接着剤により固定した、
  ことを特徴とするヘッド・サスペンション。
　　【請求項２】
  請求項１記載のヘッド・サスペンションの製造方法であって、
　前記取付部の内包側に予めスクラップ部を一体に橋渡したベース・プレート半製品を形成する第１の工程と、
  前記ベース・プレート半製品をバリ取処理、熱処理してから前記スクラップ部を前記取付部側の基端部で切断除去する第２の工程とを備え、
  前記第１の工程は、前記スクラップ部の基端部の全部を前記取付部のアクチュエータ配置位置となる内包側へ指向するように形成し、
  前記第２の工程の切断除去は、前記取付部に残る切断加工面の全部が前記取付部のアクチュエータ配置位置となる内包側へ指向するように行ない、
  前記取付部の内包側に配置したアクチュエータを接着剤により固定すると共に前記取付部の切断加工面のカット・バリを接着剤により覆ってコーティングし、前記アクチュエータを前記各切断加工面に前記接着剤により固定した、
  ことを特徴とするヘッド・サスペンションの製造方法。
　　【請求項３】
  請求項２記載のヘッド・サスペンションの製造方法であって、
  前記取付部のアクチュエータ配置位置となる内包側へ指向した切断加工面のコーティングは、前記取付部及びアクチュエータ間への接着剤の充填により行なった、
  ことを特徴とするヘッド・サスペンションの製造方法。
　　【請求項４】
　切断加工面が残存した開口状の取付部にアクチュエータを接着剤により固定し読み書き用のヘッド部を支持したロード・ビームをばね部を介して支持するためのベース・プレートであって、
　前記取付部は、前記ベース・プレートの後端部と前端部との間に形成され、
　前記前端部は、前記後端部に前記ベース・プレートの幅方向中央部の連結部で一体に結合され、
　前記前端部及び後端部から前記ベース・プレートの長さ方向に延出し相互に離間して対向し前記取付部を前記ベース・プレートの幅方向両側で開放し前記前端部の変位を前記後端部に対して許容する側部を備え、
　前記切断加工面は、前記連結部と前記各側部とに備えられて前記開口状の取付部のアクチュエータ配置位置となる内包側へ指向した、
　ことを特徴とするベース・プレート
　　【請求項５】
　請求項４記載のベース・プレートの製造方法であって、
  前記取付部の内包側に予めスクラップ部を一体に橋渡したベース・プレート半製品を形成する第１の工程と、
  前記ベース・プレート半製品をバリ取処理、熱処理してから前記スクラップ部を前記取付部側の基端部で切断除去する第２の工程とを備え、
  前記第１の工程は、前記スクラップ部の基端部の一部又は全部を前記取付部のアクチュエータ配置位置となる内包側へ指向するように形成し、
  前記第２の工程の切断除去は、前記取付部に残る切断加工面の全部が前記取付部のアクチュエータ配置位置となる内包側へ指向するように行う、
  ことを特徴とするベース・プレートの製造方法。」
第３　原査定の理由の概要
　原査定の理由の概要は以下のとおりである。
（進歩性）この出願の下記の請求項に係る発明は，その出願前に日本国内又は外国において，頒布された下記の刊行物に記載された発明又は電気通信回線を通じて公衆に利用可能となった発明に基づいて，その出願前にその発明の属する技術の分野における通常の知識を有する者が容易に発明をすることができたものであるから，特許法第２９条第２項の規定により特許を受けることができない。
　
１．請求項１−３について、引用文献１及び３−１０
２．請求項４−５について、引用文献１、３−４及び６−１０
（当審注：拒絶査定中、「請求項５」及び「請求項６」とあるのは、それぞれ「請求項４」及び「請求項５」の誤記と認める。）
　〈引用文献等一覧〉
１．特開２０１２−１４８１２号公報
３．特開２０００−５７７２３号公報（周知技術を例示）
４．特開２００２−１３３８０９号公報（周知技術を例示）
５．特開２００２−１８４１３９号公報（周知技術を例示）
６．特開昭６３−２１３３２７号公報（周知技術を例示）
７．特開平５−３５０７４号公報（周知技術を例示）
８．特開２００５−９４４２２号公報（周知技術を例示）
９．特公昭５５−４１９７４号公報（周知技術を例示）
１０．米国特許第３０６６０６３号明細書（周知技術を例示）
第４　当審の判断
１　引用発明
（１）原査定の拒絶の理由で引用された特開２０１２−１４８１２号公報（以下「引用文献１」という。）には、図面とともに、以下の事項が記載されている（なお、下線は当審において付したものである。）。 
ア　「【００２９】
［ヘッド・サスペンション］
　図１は、ヘッド・サスペンションの概略を示す平面図である。
　【００３０】
　図１のように、
ヘッド・サスペンション１は、ベース・プレート３にばね部５を介してロード・ビーム７が支持されたものである
ロード・ビーム７には、図示しないフレキシャが取り付けられ、フレキシャにはヘッド部９を構成するスライダが支持されている
　【００３１】
　
このヘッド・サスペンション１は、デュアル・アクチュエータ方式であり、ベース・プレート３は、一体のボス部１１の他にアクチュエーター・ベース１３を一体に備えている
アクチュエーター・ベース１３には、アクチュエーター取り付け用の開口部１３ａ，１３ｂが形成されている
　【００３２】
　
開口部１３ａ，１３ｂは、ベース・プレート３側の基端部１５とロード・ビーム７側の前端部１７との間に形成されている。前端部１７は、基端部１５に幅方向中央部で長さ方向に延びる連結部１９で一体に結合されている
　【００３３】
　ここで、長さ方向は、ヘッド・サスペンションの旋回半径方向とし、幅方向は、長さ方向に直交する方向とする。
　【００３４】
　
アクチュエーター・ベース１３は、側部２１ａ，２１ｂ、２３ａ，２３ｂを有している。側部２１ａ，２１ｂ、２３ａ，２３ｂは、基端部１５及び前端部１７間に幅方向両側で長さ方向に延出し相互に離間して対向している。この離間により、基端部１５及び前端部１７の幅方向両側間で開口部１３ａ，１３ｂを開放し前端部１７の変位を許容する
　【００３５】
　アクチュエーターとしては、例えばＰＺＴ（チタン酸ジルコン酸鉛）よりなる一対の矩形の圧電素子２５ａ，２５ｂが用いられている。
圧電素子２５ａ，２５ｂは、開口部１３ａ，１３ｂにおいて非導電性接着剤により基端部１５及び前端部１７間に取り付けられている
イ  「　【００３８】
　図２のように、本発明実施例１の
ベース・プレートの製造方法は、第１の工程Ｓ１と第２の工程Ｓ２とを備えている
　【００３９】
　第１の工程Ｓ１では、厚みｔ＝100〜250μｍの薄板材であるステンレス鋼のプレス成形によりベース・プレート半製品２７を形成する。なお、このベース・プレート半製品２７において、ベース・プレート３形成後の各部に対応する部分には、同名称及び同符号を付す。
　【００４０】
　ベース・プレート半製品２７には、基端部１５及び前端部１７の幅方向両側間を橋渡すように閉鎖繋部２９ａ，２９ｂが設けられている。開口部１３ａ，１３ｂは、閉鎖繋部２９ａ，２９ｂを加えることで閉じ形状となっている。
　【００４１】
　図２において、閉鎖繋部２９ａ，２９ｂは、黒塗りの範囲であり、本実施例では、閉鎖繋部２９ａ，２９ｂが側部２１ａ，２１ｂ、２３ａ，２３ｂを同一幅で橋渡すように一体に設けられている。
　【００４２】
　なお、図２では閉鎖繋部２９ａ，２９ｂを黒塗りで示すが、この黒塗りは説明の便宜のためであり、実際は、閉鎖繋部２９ａ，２９ｂもベース・プレート半製品２７と同材質であり、他の部分と境目なく一体に形成されているものである。
　【００４３】
　
第１の工程Ｓ１において形成されたベース・プレート半製品２７は、例えば、複数まとめてバレル研磨によりバリ取処理が行われ、熱処理してから第２の工程Ｓ２に移される
　【００４４】
　バリ取処理、熱処理時は、閉鎖繋部２９ａ，２９ｂが側部２１ａ，２１ｂ、２３ａ，２３ｂを同一幅で橋渡し、開口部１３ａ，１３ｂ周囲の剛性を高めた状態で扱うことができる。
　【００４５】
　バレル研磨は、閉鎖繋部２９ａ，２９ｂが側部２１ａ，２１ｂ、２３ａ，２３ｂの対向間を閉止した状態で行わせることができる。
　【００４６】
　第２の工程Ｓ２では、プレス加工により閉鎖繋部２９ａ，２９ｂが破断線の位置でカット除去される。この閉鎖繋部２９ａ，２９ｂのカット除去により、アクチュエーター取り付け用の開口部１３ａ，１３ｂ及び結合用のボス部１１が一体に形成されたヘッド・サスペンション１のベース・プレート３を形成することができる。」
ウ　「【００５８】
　
図４は、本発明の実施例３に係り
基本的な構成は、実施例１と同様であり
　【００５９】
　
本実施例３の第１の工程Ｓ１Ｂでは、閉鎖繋部２９ａＢ，２９ｂＢを備えたベース・プレート半製品２７Ｂを形成する。閉鎖繋部２９ａＢ，２９ｂＢは、延長結合部２９ａＢａ，２９ｂＢａを備えている。各延長結合部２９ａＢａ，２９ｂＢｂは、連結部１９に対し幅方向に一体に結合されている
　【００６０】
　
第２の工程Ｓ２Ｂでは、閉鎖繋部２９ａＢ，２９ｂＢのカットを、側部２１ａ，２１ｂ、２３ａ，２３ｂの長さ方向での端縁に相当する位置及び連結部１９の幅方向縁部に沿った位置で行い、ベース・プレート３を形成する
エ　図４は、以下のとおりである。
　したがって、引用文献１には次の発明（以下、「引用発明」という。）が記載されている。
「ベース・プレート３にばね部５を介してロード・ビーム７が支持されたヘッド・サスペンション１であって、
　ロード・ビーム７には、図示しないフレキシャが取り付けられ、フレキシャにはヘッド部９を構成するスライダが支持され、
　このヘッド・サスペンション１は、デュアル・アクチュエータ方式であり、ベース・プレート３は、一体のボス部１１の他にアクチュエーター・ベース１３を一体に備え、
　アクチュエーター・ベース１３には、アクチュエーター取り付け用の開口部１３ａ，１３ｂが形成され、
　開口部１３ａ，１３ｂは、ベース・プレート３側の基端部１５とロード・ビーム７側の前端部１７との間に形成され、
　前端部１７は、基端部１５に幅方向中央部で長さ方向に延びる連結部１９で一体に結合され、
　アクチュエーター・ベース１３は、側部２１ａ，２１ｂ、２３ａ，２３ｂを有し、
　側部２１ａ，２１ｂ、２３ａ，２３ｂは、基端部１５及び前端部１７間に幅方向両側で長さ方向に延出し相互に離間して対向し、この離間により、基端部１５及び前端部１７の幅方向両側間で開口部１３ａ，１３ｂを開放し前端部１７の変位を許容し、
　圧電素子２５ａ，２５ｂは、開口部１３ａ，１３ｂにおいて非導電性接着剤により基端部１５及び前端部１７間に取り付けられ、
　ベース・プレートの製造方法は、第１の工程Ｓ１と第２の工程Ｓ２とを備え、
　第１の工程Ｓ１において形成されたベース・プレート半製品２７は、例えば、複数まとめてバレル研磨によりバリ取処理が行われ、熱処理してから第２の工程Ｓ２に移され、
　本実施例３の第１の工程Ｓ１Ｂでは、閉鎖繋部２９ａＢ，２９ｂＢを備えたベース・プレート半製品２７Ｂを形成し、閉鎖繋部２９ａＢ，２９ｂＢは、延長結合部２９ａＢａ，２９ｂＢａを備え、各延長結合部２９ａＢａ，２９ｂＢｂは、連結部１９に対し幅方向に一体に結合され、
　第２の工程Ｓ２Ｂでは、閉鎖繋部２９ａＢ，２９ｂＢのカットを、側部２１ａ，２１ｂ、２３ａ，２３ｂの長さ方向での端縁に相当する位置及び連結部１９の幅方向縁部に沿った位置で行い、ベース・プレート３を形成する、ヘッド・サスペンション１。」
２  対比
　本願発明と引用発明とを対比する。
ア　引用発明の「ベース・プレート３」は、「アクチュエーター取り付け用の開口部１３ａ，１３ｂ」が形成されたアクチュエーター・ベース１３を一体に備えたものである。
　ここで、上記「開口部１３ａ，１３ｂ」は、第１の工程Ｓ１において、閉鎖繋部２９ａＢ、２９ｂＢを備えたベース・プレート半製品２７Ｂを形成し、バリ取処理を行った後の第２の工程Ｓ２Ｂで、該閉鎖繋部２９ａＢ、２９ｂＢをカットして形成したものであるから、上記「開口部１３ａ，１３ｂ」には、「カット・バリ」を有する「切断加工面が残存」していると解することができる。
　そうすると、引用発明の「アクチュエーター取り付け用の開口部１３ａ，１３ｂ」は、本願発明の「アクチュエータを取り付けるための開口状の取付部」に相当し、引用発明の「ベース・プレート３」は、本願発明にいう「アクチュエータを取り付けるための開口状の取付部に切断加工面が残存するベース・プレート」といえる。
イ　引用発明の「ロード・ビーム７」は、「ベース・プレート３」に「ばね部５」を介して支持されたものであり、「ヘッド部９」を構成するスライダが支持されたフレキシャが取り付けられるから、本願発明と引用発明とは、「このベース・プレートにばね部を介して支持されヘッド部を支持したロード・ビームとを備え」る点で共通する。
　
ウ　引用発明の「開口部１３ａ，１３ｂ」は、ベース・プレート３側の基端部１５とロード・ビーム７側の前端部１７との間に形成され、前端部１７は、基端部１５に幅方向中央部で長さ方向に延びる連結部１９で一体に結合されるから、引用発明の「ベース・プレート３側の基端部１５」、「ロード・ビーム７側の前端部１７」及び「幅方向中央部で長さ方向に延びる連結部１９」は、それぞれ本願発明の「前記ベース・プレートの後端部」、「前端部」及び「前記ベース・プレートの幅方向中央部の連結部」に相当し、引用発明の「開口部１３ａ，１３ｂ」は、本願発明と同様、「前記ベース・プレートの後端部と前端部との間に形成され」、「前記前端部は、前記後端部に前記ベース・プレートの幅方向中央部の連結部で一体に結合され」ているといえる。
エ　引用発明の「側部２１ａ，２１ｂ、２３ａ，２３ｂ」は、基端部１５及び前端部１７間に幅方向両側で長さ方向に延出し相互に離間して対向し、この離間により、基端部１５及び前端部１７の幅方向両側間で開口部１３ａ、１３ｂを開放し前端部１７の変位を許容するを有するとしているから、本願発明の「前記前端部及び後端部から前記ベース・プレートの長さ方向に延出し相互に離間して対向し前記取付部を前記ベース・プレートの幅方向両側で開放し前記前端部の変位を前記後端部に対して許容する側部」に相当する。
オ　引用発明の「閉鎖繋部２９ａＢ，２９ｂＢ」は、延長結合部２９ａＢａ、２９ｂＢａを備え、各延長結合部２９ａＢａ、２９ｂＢｂは、連結部１９に対し幅方向に一体に結合され、第２の工程Ｓ２Ｂでは、側部２１ａ、２１ｂ、２３ａ、２３ｂの長さ方向での端縁に相当する位置及び連結部１９の幅方向縁部に沿った位置でカットするとしている。
　そうすると、本願発明と引用発明とは、「前記切断加工面は、前記連結部と前記各側部とに備えられ」、「前記連結部に備えられた切断加工面は、前記開口状の取付部のアクチュエータ配置位置となる内包側へ指向」している点で共通する。
カ　引用発明の「圧電素子２５ａ，２５ｂ」は、開口部１３ａ、１３ｂにおいて非導電性接着剤により基端部１５及び前端部１７間に取り付けられるとしているから、引用発明は、「前記取付部のアクチュエータ配置位置にアクチュエータを接着剤により固定」したものといえ、これにより、「圧電素子２５ａ，２５ｂ」は「前記連結部に備えられた切断加工面」に非導電性接着剤により固定されると解することができる。
　そうすると、本願発明と引用発明とは、「前記取付部のアクチュエータ配置位置にアクチュエータを接着剤により固定」し、「前記アクチュエータを前記切断加工面に前記接着剤により固定した」点で共通する。
　したがって、本願発明と引用発明との一致点・相違点は、次のとおりである。
［一致点］
  アクチュエータを取り付けるための開口状の取付部に切断加工面が残存するベース・プレートと、
　このベース・プレートにばね部を介して支持され読み書き用のヘッド部を支持したロード・ビームとを備え、
　前記取付部は、前記ベース・プレートの後端部と前端部との間に形成され、
　前記前端部は、前記後端部に前記ベース・プレートの幅方向中央部の連結部で一体に結合され、
　前記前端部及び後端部から前記ベース・プレートの長さ方向に延出し相互に離間して対向し前記取付部を前記ベース・プレートの幅方向両側で開放し前記前端部の変位を前記後端部に対して許容する側部を備え、
　前記切断加工面は、前記連結部と前記各側部とに備えられ、前記連結部に備えられた切断加工面は、前記開口状の取付部のアクチュエータ配置位置となる内包側へ指向し、
  前記取付部のアクチュエータ配置位置にアクチュエータを接着剤により固定し、
　前記アクチュエータを前記切断加工面に前記接着剤により固定した、
  ことを特徴とするヘッド・サスペンション。
［相違点１］
 「ヘッド部」が、本願発明では、「読み書き用のヘッド部」であるのに対し、引用発明では、「読み書き用」かどうか明示の特定がない点。
［相違点２］
　本願発明では、「前記切断加工面のカット・バリを接着剤により覆」うのに対し、引用発明では、「前記切断加工面のカット・バリを接着剤により覆」っているかどうか定かではない点。
［相違点３］
　「前記各側部」に備えられた「切断加工面」が、本願発明では、「前記開口状の取付部のアクチュエータ配置位置となる内包側へ指向」しているのに対し、引用発明では、「前記開口状の取付部のアクチュエータ配置位置となる内包側へ指向」していない点。
　また、この相違点３に関連して、さらに以下の相違点４を有する。
［相違点４］
　「前記アクチュエータ」を、本願発明では、「前記各側部」に備えられた「切断加工面」にも、「前記接着剤により固定」するのに対し、引用発明では、そのような特定がない点。
３．判断
　事案にかんがみ、まず上記相違点３について検討する。
　本願発明は、「生産工程においてベース・プレート相互の絡み等による変形を、スクラップ部を有するベース・プレート半製品の採用で抑制すると、カット・バリを招き、製品としてハード・ディスク・ドライブに組み付けられた後にバリ脱落の恐れがあった」（段落２９）こと（以下、「課題Ａ」という。）にかんがみ、相違点３に係る構成を採用したものである。
　一方、引用発明では、「前記各側部」に備えられた「切断加工面」は、アクチュエータ配置位置となる内包側へは指向せず、長さ方向前後へ指向した形態となっている。
　そして、引用文献１には、上記課題Ａについての記載も示唆もなく、引用発明において、相違点３に係る構成を採用する動機付けがあるとはいえない。
　また、仮に、「バリ」の部分を接着剤で覆うことが周知技術であり、引用発明に該周知技術を適用できたとしても、各側部の長さ方向前後へ指向した切断加工面を、接着剤で追加コーティングするに留まり（即ち、本願明細書の段落７５−７９及び図８に変形例として記載したものと同様。）、相違点３に係る構成には至らないし、相違点３に係る構成を採用することが当業者が適宜なし得ることとまではいえない。
　したがって、他の相違点について検討するまでもなく、本願発明は、当業者が引用文献１に記載された発明及び周知技術に基づいて容易に発明をすることができたとはいえない。
４．請求項２−３に係る発明について
　請求項２に係る発明は、「請求項１記載のヘッド・サスペンションの製造方法」の発明であって、少なくとも「第２の工程の切断除去」を、「前記取付部に残る切断加工面の全部」が「前記取付部のアクチュエータ配置位置となる内包側へ指向」するように行ない、「前記取付部の切断加工面のカット・バリを接着剤により覆ってコーティングし、前記アクチュエータを前記各切断加工面に前記接着剤により固定」するとしているから、上記３で検討したのと同様の理由により、当業者が引用文献１に記載された発明及び周知技術に基づいて容易に発明をすることができたとはいえない。
　請求項２を引用する請求項３に係る発明についても同様である。
５．請求項４に係る発明について
　請求項４に係る発明は、「ベース・プレート」の発明であって、少なくとも「前記切断加工面は、前記連結部と前記各側部とに備えられて前記開口状の取付部のアクチュエータ配置位置となる内包側へ指向した」ものであるから、上記３で検討したのと同様の理由により、当業者が引用文献１に記載された発明及び周知技術に基づいて容易に発明をすることができたとはいえない。
６．請求項５に係る発明について
　請求項５に係る発明は、「請求項４記載のベース・プレートの製造方法」の発明であって、少なくとも「第２の工程の切断除去」を、「前記取付部に残る切断加工面の全部」が「前記取付部のアクチュエータ配置位置となる内包側へ指向」するように行うとしているから、上記３で検討したのと同様の理由により、当業者が引用文献１に記載された発明及び周知技術に基づいて容易に発明をすることができたとはいえない。
第５　むすび
　以上のとおり、本願の請求項１−５に係る発明は、いずれも、当業者が引用文献１に記載された発明及び周知技術に基づいて容易に発明をすることができたものではないから、原査定の理由によっては、本願を拒絶することはできない。
　また、他に本願を拒絶すべき理由を発見しない。
　よって、結論のとおり審決する。